(57)【要約】【課題】嵩張りが抑えられて携行しやすく、しかも、組み立てられた状態においても、軟包装袋にしわのない形状を維持することができ、内容物の取り扱いが容易であり、また、快適に直接喫食することができる安価な容器を提供する。【解決手段】可撓性を有するフィルムから形成され、内容物を収容可能な扁平形状の軟包装袋２１と、軟包装袋２１より硬質のシート材から形成され、両側からの押圧によって所定箇所で屈曲されて扁平形状から上方が開口された底面５３を有する箱型形状に変形可能な外装体３１とを備え、外装体３１は、軟包装袋２１の外周面に全体が接着されて密着されている。【選択図】図７
2016108008.tif 000002
【特許請求の範囲】
【請求項１】
可撓性を有し、内容物を収容可能な扁平形状の軟質袋部と、
前記軟質袋部より硬質のシート状に形成され、両側からの押圧によって所定箇所で屈曲されて扁平形状から上方が開口された底面を有する箱型形状に変形可能な硬質シート部とを備え、
前記硬質シート部は、前記軟質袋部に一体的に設けられている容器。
【請求項２】
前記軟質袋部は、可撓性を有するフィルムから形成された軟包装袋からなり、
前記硬質シート部は、硬質のシート材から形成された外装体なり、
前記外装体は、前記軟包装袋の外周面に全体が接着されて密着されている請求項１に記載の容器。
【請求項３】
箱型形状に変形された前記硬質シート部は、底面側から上方へ向かって次第に広がる形状とされる請求項１または請求項２に記載の容器。
【発明の詳細な説明】
【技術分野】
【０００１】
本発明は、軟包装袋の周囲に外装体が設けられた容器に関する。
【背景技術】
【０００２】
軟包装袋と、この軟包装袋の外周面を覆う筒状の外装体とからなり、外装体を変形させることで自立可能な状態となる容器が知られている（例えば、特許文献１参照）。
【先行技術文献】
【特許文献】
【０００３】
【特許文献１】特許第５５６６７２１号公報
【発明の概要】
【発明が解決しようとする課題】
【０００４】
外装体が変形する上記容器では、外装体を変形させる際に、軟包装袋の形状と変形される外装体の形状に大きな差異が生じる。このため、外装体と軟包装袋の接着面が特定部分に限られていると、外装体を変形させた際に軟包装袋にしわが入ってしまい、内包装袋の内容物の取り扱いが難しくなり、また、外装体の破れを招きやすい。また、上記容器は、外装体を変形させて自立可能とした状態で、中腹部が内側へ凹むくびれを有する形状となり、特に、容器の内容物を食器で取り出したり、直接喫食する際に、内側へ凹んだ中腹部が邪魔となってしまう。
【０００５】
また、上記容器は、自立させるためにマチを備えた軟包装袋を用いるため、コストの低減が難しく、しかも、内容物を収容した状態で扁平形状の維持が困難である。
【０００６】
本発明は、上記事情に鑑みてなされたもので、嵩張りが抑えられて携行しやすく、しかも、組み立てられた状態においても、軟包装袋にしわのない形状を維持することができ、内容物の取り扱いが容易であり、また、快適に直接喫食することができる安価な容器を提供することを目的としている。
【課題を解決するための手段】
【０００７】
上記目的を達成するために、本発明の容器は、
可撓性を有し、内容物を収容可能な扁平形状の軟質袋部と、
前記軟質袋部より硬質のシート状に形成され、両側からの押圧によって所定箇所で屈曲されて扁平形状から上方が開口された底面を有する箱型形状に変形可能な硬質シート部とを備え、
前記硬質シート部は、前記軟質袋部に一体的に設けられている。
【０００８】
この構成によれば、硬質シート部の変形前は扁平形状とされているので、嵩張らず、携行しやすい。また、硬質シート部を組み立てることで、容易に硬質シート部が底面を有する箱型形状に変形するので、自立可能な食事用容器として機能させることができる。具体的には、軟質袋部の上部を開放させることで、容器を自立させた状態で食器を用いて容器の内容物を取り出したり、直接喫食することができる。
ここで、硬質シート部は、軟質袋部に一体的に設けられているので、硬質シート部を箱型形状に組み立てた状態で、軟質袋部がしわなく広げられる。したがって、容器を自立させた状態で容器の内容物を容易に取り扱うことができ、快適に喫食できる。
また、自立させるためのマチが不要であるので、コストを抑えることができ、しかも、内容物を収容した状態で扁平形状を容易に維持して高い携行性を得ることができる。
【０００９】
本発明の容器において、前記軟質袋部は、可撓性を有するフィルムから形成された軟包装袋からなり、前記硬質シート部は、前記軟包装袋よりも硬質のシート材から形成された外装体なり、前記外装体は、前記軟包装袋の外周面に全体が接着されて密着されていても良い。
【００１０】
この構成によれば、外装体を軟包装袋の外周面に全体を接着させて密着させることで、軟包装袋と外装体の接着面積を大きくすることができる。これにより、外装体の破断を起こりにくくすることができ、鞄などに入れて携行する際に軟包装袋を外装体によって良好に保護することができる。また、異なる材質からなる軟包装袋と外装体とを用いることができるので、食品を収容する包装材に要求される気密性や遮光性などの機能は軟包装袋により確保し、外装体に、例えば、型抜きやエンボス等の装飾加工を施してデザインの幅を広げることができる。
【００１１】
本発明の容器において、箱型形状に変形された前記硬質シート部は、底面側から上方へ向かって次第に広がる形状とされても良い。
【００１２】
この構成によれば、箱型形状に変形された硬質シート部が、底面側から上方へ向かって次第に広がる形状とされるので、食器を用いて容器の内容物を隅々まで取り出すことができ、さらに、快適に喫食できる。
【発明の効果】
【００１３】
本発明の容器によれば、嵩張りが抑えられて携行しやすく、しかも、組み立てられた状態においても、軟包装袋にしわのない形状を維持することができ、内容物の取り扱いが容易であり、また、快適に直接喫食することができる安価な容器を提供できる。
【図面の簡単な説明】
【００１４】
【図１】本実施形態に係る容器の平面図である。
【図２】容器を構成する軟包装袋の平面図である。
【図３】容器を構成する外装体の平面図である。
【図４】組み立て途中の容器の斜視図である。
【図５】組み立て途中の容器の正面図である。
【図６】組み立て途中の容器の側面図である。
【図７】組み立てられた容器の斜視図である。
【図８】組み立てられた容器の正面図である。
【図９】組み立てられた容器の側面図である。
【図１０】組み立て後に軟包装袋の上部を取り除いた状態の容器の斜視図である。
【図１１】図１０におけるＡ矢視図である。
【発明を実施するための形態】
【００１５】
以下、本発明に係る容器の実施形態について図面を参照して説明する。
図１は、本実施形態に係る容器の平面図である。図２は、容器を構成する軟包装袋の平面図である。図３は、容器を構成する外装体の平面図である。
【００１６】
図１に示すように、本実施形態に係る容器１１は、軟包装袋（軟質袋部）２１と、外装体（硬質シート部）３１とを有している。外装体３１は、軟包装袋２１の約下半分側に一体的に設けられており、外装体３１によって軟包装袋２１の約下半分が覆われている。容器１１には、その軟包装袋２１内に、食材等の内容物が収容される。
【００１７】
図２に示すように、軟包装袋２１は、平面視で略長方形状に形成されている。この軟包装容器２１は、例えば、ポリエステル、ポリプロピレン、ポリアミド等の樹脂フィルムなどの可撓性を有するフィルムから形成されている。軟包装容器２１は、長方形状のフィルムの短辺側をそれぞれ折り返して両端を重ね、重ねた両端の重ね合わせ部２２及び長辺側の縁部の重ね合わせ部２３をそれぞれ溶着することで扁平形状の袋状に形成したピロー袋(合掌袋)である。また、軟包装容器２１は、必要に応じて内面側にアルミ箔が蒸着される。
【００１８】
図３に示すように、外装体３１は、平面視で略正方形状に形成されている。この外装体３１は、シート状に形成されたもので、軟包装袋２１の表裏に設けられる。外装体３１は、軟包装袋２１より硬質のシートから形成されている。外装体３１は、軟包装袋２１の形状を維持するのに適した強度を持つ素材から形成されていれば良く、例えば、紙からなるシート、ポリプロピレンなどの樹脂シートあるいはアルミニウムなどの薄い金属シートから形成されている。
【００１９】
外装体３１は、周面形成部３２、側面形成部３３、底面形成部３４及び固定片形成部３５を有している。側面形成部３３は、周面形成部３２の両側部に設けられており、底面形成部３４は、周面形成部３２の下方側に設けられている。
【００２０】
周面形成部３２と側面形成部３３との境界部分には、外装体３１の上縁から周面形成部３２と底面形成部３４との境界にわたって山折線部４１が形成されている。この山折線部４１は、下方へ向かって次第に外装体３１の中央側へ湾曲されている。側面形成部３３には、周面形成部３２と反対側の縁部にスリット４２が形成されている。このスリット４２は、外装体３１の幅方向に沿って形成されている。周面形成部３２には、スリット４２の上方側に非接着領域４３が設けられている。
【００２１】
周面形成部３２と底面形成部３４との境界部分には、山折線部４５が形成されている。底面形成部３４と固定片形成部３５との境界部分には、山折線部４６が形成されている。固定片形成部３５には、底面形成部３４との境界部分における周面形成部３２側の角部と、底面形成部３４と反対側の縁部における外装体３１の下端側の角部とをつなぐ山折線部４７が形成されている。また、固定片形成部３５と側面形成部３３との境界部分には、スリット４８が形成されている。固定片形成部３５の底面形成部３４と反対側における側面形成部３３側の角部には、切り欠き部４９が形成されている。
【００２２】
外装体３１は、軟包装袋２１の表裏に、非接着領域４３を除いた全体が接着材によって接着されて固定されている。これにより、外装体３１は、軟包装袋２１の外周面に全体が接着されて密着されている。外装体３１は、軟包装袋２１に対して、下端から軟包装袋２１の下方側の重ね合わせ部２３が突出する位置に貼り付けられる。これにより、軟包装袋２１は、その周囲における下方側の重ね合わせ部２３を除く約下半分が外装体３１で覆われる。外装体３１は、軟包装袋２１に接着された状態で、軟包装袋２１の外形に沿った扁平形状とされている。
【００２３】
このように、軟包装袋２１を外装体３１で覆った容器１１では、外装体３１によって熱伝導を低くすることができる。これにより、温めた軟包装袋２１内の内容物をさめにくくすることができ、また、容器１１が熱くなりにくいため持ちやすい。しかも、外装体３１で型崩れが抑えられるため持ちやすい。
【００２４】
また、食品を収容する包装材に要求される気密性や遮光性などの機能は、軟包装袋２１により確保できるため、外装体３１に、例えば、型抜きやエンボス等の装飾加工を施してデザインの幅を広げることができる。
【００２５】
次に、上記の容器１１を組み立てて自立可能とする場合について説明する。
図４から図６は、組み立て途中の容器を示す図であって、図４は斜視図、図５は正面図、図６は側面図である。図７から図９は、組み立てられた容器を示す図であって、図７は斜視図、図８は正面図、図９は側面図である。図１０は、組み立て後に軟包装袋の上部を取り除いた状態の容器の斜視図である。図１１は、図１０におけるＡ矢視図である。
【００２６】
図４から図６に示すように、外装体３１の両側から中央へ向かって押圧する。このようにすると、外装体３１は、山折線部４１が山折りされ、周面形成部３２に対して側面形成部３３が厚さ方向へ折り曲げられる。これにより、容器１１には、周面形成部３２からなる周面５１と、これらの周面５１の両側部に設けられた側面形成部３３からなる側面５２とが形成される。
【００２７】
また、外装体３１の両側から中央へ向かって押圧することで、山折線部４５が山折りされ、周面形成部３２に対して底面形成部３４が厚さ方向へ折り曲げられる。これにより、容器１１には、底面形成部３４からなる底面５３が形成される。
【００２８】
さらに、外装体３１の両側から中央へ向かって押圧することで、山折線部４７が山折りされ、固定片形成部３５が折り畳まれる。これにより、容器１１には、底面５３から側方へ延在する平面視三角形状の固定片５４が形成される。この固定片５４は、側面形成部３３からなる側面５２に対してスリット４８部分で折り曲げられた状態とされる。
【００２９】
そして、外装体３１は、周面５１、側面５２及び底面５３が形成されることで、扁平形状から上方が開放された底面５３を有する箱型形状に変形される。箱型形状に変形された外装体３１は、底面５３が上部の開口部分の面積より小さくされる。これにより、箱型形状に変形された外装体３１は、底面５３側から上方へ向かって次第に広がる形状とされる。
【００３０】
図７から図９に示すように、底面５３から側方へ延在する固定片５４を上方へ折り曲げ、その先端を、側面形成部３３における非接着領域４３で軟包装袋２１と接着されていない部分と軟包装袋２１との間へスリット４２から挿し込む。このようにすると、固定片５４の先端が側面形成部３３に係止され、固定片５４が折り曲げられた状態に維持される。これにより、外装体３１には、周面５１、側面５２及び底面５３が形成された箱型形状に維持される。このように、外装体３１が箱型形状に変形された容器１１は、底面５３を下方にして自立可能とされる。
【００３１】
その後、図１０に示すように、軟包装袋２１の上部を幅方向に沿って切断する。このようにすると、自立させた容器１１の軟包装袋２１が開放され、スプーン、フォークまたは箸などの食器を用いて容器１１内の内容物の取り出しや直接喫食が可能とされる。
【００３２】
このとき、図１１に示すように、容器１１の外装体３１が箱型形状に形成されているので、食器を用いて容器１１の内容物を隅々まで取り出すことができる。
【００３３】
なお、軟包装袋２１の上部を幅方向に沿って切断しやすくするために、少なくとも一方の縁部に切断を誘導させる切り込み部を形成したり、幅方向に沿って溝状の切断誘導処理部を形成しておくのが好ましい。
【００３４】
以上、説明したように、本実施形態に係る容器１１によれば、外装体３１の変形前は扁平形状とされているので、嵩張らず、携行しやすい。また、外装体３１を組み立てることで、容易に外装体３１が底面５３を有する箱型形状に変形するので、自立可能な食事用容器として機能させることができる。具体的には、軟包装袋２１の上部を開放させることで、容器１１を自立させた状態で食器を用いて容器１１の内容物を取り出したり、直接喫食することができる。
【００３５】
ここで、外装体３１は、軟包装袋２１の外周面に全体が接着されて密着されているので、外装体３１を箱型形状に組み立てた状態で、箱型形状の外装体３１の内面に沿って軟包装袋２１がしわなく広げられる。したがって、容器１１を自立させた状態で容器１１の内容物を容易に取り扱うことができ、快適に喫食できる。
【００３６】
また、自立させるためのマチが不要であるので、コストを抑えることができ、しかも、内容物を収容した状態で扁平形状を容易に維持して高い携行性を得ることができる。
【００３７】
また、外装体３１を軟包装袋２１の外周面に全体を接着させて密着させることで、軟包装袋２１と外装体３１の接着面積を大きくすることができる。これにより、外装体３１の破断を起こりにくくすることができ、鞄などに入れて携行する際に軟包装袋２１を外装体３１によって良好に保護することができる。
【００３８】
しかも、本実施形態に係る容器１１は、箱型形状に変形された外装体３１が、底面５３側から上方へ向かって次第に広がる形状とされるので、食器を用いて容器１１の内容物を隅々まで取り出すことができ、さらに、快適に喫食できる。
【００３９】
なお、上記実施形態では、外装体３１を組み立てる際に、固定片５４をスリット４２へ挿し込んで固定したが、固定片５４は、粘着テープなどによって側面５２または底面５３に貼り付けて固定しても良い。
【００４０】
また、軟包装袋２１としては、長方形状のフィルムの一方の短辺を折り返して重ね合わせ、重ね合わせた部分における三辺の縁部を溶着して三方シール袋としたものでも良い。
【００４１】
また、上記実施形態では、二枚のパーツに分割した外装体３１を用いたが、外装体３１は、一枚のパーツから形成されたものでも良く、また、例えば、組み立てる際に屈曲される部分で三枚以上に分割したものでも良い。
【００４２】
なお、上記実施形態では、軟包装袋２１と外装体３１の二つの部材から構成された容器１１を例示して説明したが、本発明の容器は、例えば、ポリプロピレンなどの樹脂によって一体成形することにより、軟包装袋２１に相当する軟質袋部と、軟質袋部よりも厚みを厚くして硬質なシート状とした外装体３１に相当する硬質シート部とから構成したものでも良い。
【符号の説明】
【００４３】
１１容器
２１軟包装袋（軟質袋部）
３１外装体（硬質シート部）
５３底面
【図１】
2016108008.tif 000003
【図２】
2016108008.tif 000004
【図３】
2016108008.tif 000005
【図４】
2016108008.tif 000006
【図５】
2016108008.tif 000007
【図６】
2016108008.tif 000008
【図７】
2016108008.tif 000009
【図８】
2016108008.tif 000010
【図９】
2016108008.tif 000011
【図１０】
2016108008.tif 000012
【図１１】
2016108008.tif 000013
【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
可撓性を有するフィルムから形成された軟包装袋からなり、内容物を収容可能な扁平形状の軟質袋部と、
前記軟質袋部より硬質のシート状に形成された外装体からなり、両側からの押圧によって所定箇所で屈曲されて扁平形状から上方が開口された底面を有する箱型形状に変形可能な硬質シート部とを備え、
前記箱型形状に変形する前の前記硬質シート部は、前記内容物を収容した状態の前記軟質袋部に一体的に設けられている容器。
【請求項２】
前記外装体は、前記軟包装袋の外周面に全体が接着されている請求項１に記載の容器
【請求項３】
箱型形状に変形された前記硬質シート部は、底面側から上方へ向かって次第に広がる形状とされる請求項１または請求項２に記載の容器。
【請求項４】
前記硬質シート部の内面側に箔が形成されている請求項１から３のいずれか一項に記載の容器。